(57)【要約】【課題】台上での移動の作業性を高めたテープ印刷装置を提供すること。【解決手段】ユーザが、テープ印刷装置１０の使用の仕様を終え、テープ印刷装置１０をテーブル上で移動させたい場合、ユーザは、下側ケース２２前面のスライドボタン４９を例えば左側から右側に移動させてＯＦＦ状態からＯＮ状態に切り替える。これにより、図４（ｂ）に示す収納状態から図４（ａ）に示す突起状態にキャスタ装置６９が変位し、下側ケース２２の下面２２ａからキャスタボール２８が突起する。この結果、台上から下面２２ａが持ち上げられ、下面２２ａに接着された滑り止めシート２５の摩擦によるスライド防止効果がなくなり、テープ印刷装置１０が台上で任意の方向に移動可能となる。【選択図】図４
2007223262.tif 000002
【特許請求の範囲】
【請求項１】
カートリッジから引き出されたテープ状部材に対して印刷を行う印刷部と、
前記テープ状部材を切断する切断部と、
前記印刷部及び前記切断部を収納する装置ケースと、
前記装置ケースの載置台上での移動を可能にする転動体と、
ユーザの操作に応じて、前記転動体による前記装置ケースの移動を停止させるロック手
段と、
を備えるテープ印刷装置。
【請求項２】
前記装置ケースの底部に設けられた滑り止め部をさらに有し、前記転動体は、前記装置
ケースを前記滑り止め部とともに持ち上げるように支持した状態で前記装置ケースの移動
を可能にする請求項１記載のテープ印刷装置。
【請求項３】
前記ロック手段は、前記転動体の少なくとも一部を前記底部から突起させた突起状態と
、前記転動体を前記装置ケース内に収納した収納状態との間で変位させる進退機構を含む
請求項２記載のテープ印刷装置。
【請求項４】
前記進退機構は、ユーザが操作する操作部と、当該操作部の動作を伝達することによっ
て前記転動体を前記突起状態と前記収納状態とに変化させる切替部と、当該切替機構の動
作を停止させる係止部とを備える請求項３記載のテープ印刷装置。
【発明の詳細な説明】
【技術分野】
【０００１】
本発明は、入力されたデータに基づいてテープに各種印刷を行うテープ印刷装置に関す
る。
【背景技術】
【０００２】
従来のテープ印刷装置は、印刷機構や切断機構を筐体中に内蔵した構造を有する。この
テープ印刷装置では、ユーザが、テープカートリッジを装填した後、キーボード等を用い
て印刷情報を入力し、印刷を指示する。この指示により、テープカートリッジからテープ
Ｔを繰り出しつつ印刷ヘッドによりテープに所望の印刷を行う。印刷が完了すると、テー
プを適宜送り出した後にテープの適所がカットされる（特許文献１参照）。
【０００３】
上記のようなテープ印刷装置は、比較的複雑で重量のある印刷機構や切断機構を内蔵す
るため重量が大きくなっており、テープ印刷装置が仮にこれを載置する台上から落下した
場合、テープ印刷装置自体が破損するだけでなく台の下にある物を破損する可能性もある
。このため、テープ印刷装置が特に滑らかな傾斜した台上に載置された場合に自重で滑っ
て落下しないように、裏面に滑り止め用のゴム系シートを貼り付けて台上での安定を図っ
た構造となっている。
【特許文献１】特開２００３−１２２７４０号公報
【発明の開示】
【発明が解決しようとする課題】
【０００４】
しかし、従来のテープ印刷装置は、これを台上で移動させようとした場合、ゴム系シー
トが邪魔になるので、ユーザは、テープ印刷装置を台上である程度持ち上げた状態にして
移動させている。このため、テープ印刷装置の移動がユーザにとって煩雑な作業となって
負担が生じていた。
【０００５】
そこで、本発明は、台上での移動の作業性を高めたテープ印刷装置を提供することを目
的とする。
【課題を解決するための手段】
【０００６】
上記課題を解決するため、本発明に係るテープ印刷装置は、（ａ）カートリッジから引
き出されたテープ状部材に対して印刷を行う印刷部と、（ｂ）テープ状部材を切断する切
断部と、（ｃ）印刷部及び切断部を収納する装置ケースと、（ｄ）装置ケースの載置台上
での移動を可能にする転動体と、（ｅ）ユーザの操作に応じて、転動体による装置ケース
の移動を停止させるロック手段とを備える。
【０００７】
上記テープ印刷装置においては、転動体が装置ケースの載置台上での移動を可能にする
ので、ユーザは、テープ印刷装置を台上で持ち上げることなく台上で移動させることがで
き、移動の作業性を高めることができる。また、上記テープ印刷装置では、ロック手段が
ユーザの操作に応じて転動体による装置ケースの移動を停止させるので、テープ印刷装置
が滑らかな台上に載置された場合に、何かに押されて移動して台上から落下したり、自重
で滑って台上から落下したりする事態を予め防止できる。
【０００８】
本発明の具体的な態様によれば、上記テープ印刷装置において、装置ケースの底部に設
けられた滑り止め部をさらに有し、転動体は、装置ケースを滑り止め部とともに持ち上げ
るように支持した状態で装置ケースの移動を可能にする。この場合、通常は滑り止め部に
よってテープ印刷装置が台上で移動することを防止することができ、必要なタイミングで
ロック手段を解除させて転動体を可動状態とすることで、ユーザは、テープ印刷装置を台
上で自在に移動させることができる。
【０００９】
また、本発明の別の態様では、ロック手段が、転動体の少なくとも一部を底部から突起
させた突起状態と、転動体を装置ケース内に収納した収納状態との間で変位させる進退機
構を含む。この場合、進退機構によって転動体を装置ケース内外に簡単に進退させること
ができる。
【００１０】
また、本発明の別の態様では、進退機構が、ユーザが操作する操作部と、当該操作部の
動作を伝達することによって転動体を突起状態と収納状態とに変化させる切替部と、当該
切替機構の動作を停止させる係止部とを備える。この場合、ユーザの操作によって転動体
を装置ケース内外に移動させることができるだけでなく、係止部によって、転動体がロッ
ク状態に相当する突起状態と解除状態に相当する収納状態とのいずれか一方から他方に簡
単に切り替わってしまうことを防止できる。
【発明を実施するための最良の形態】
【００１１】
以下、本発明の一実施形態に係るテープ印刷装置について、添付図面を参照しながら詳
細に説明する。
【００１２】
図１は、本実施形態におけるテープ印刷装置の全体を示した斜視図である。また、図２
（ａ）は、図１のテープ印刷装置の開閉蓋を開放したときの斜視図であり、図２（ｂ）は
、テープ印刷装置に装填されるテープカートリッジを示す斜視図である。
【００１３】
図１及び図２に示すように、このテープ印刷装置１０は、上下２分割の装置ケース２０
により外殻が形成され、開閉蓋となる上側ケース２１と、テープカートリッジＣが装填さ
れるポケット４１等の機構部が配設された下側ケース２２とにより構成されている。
【００１４】
上側ケース２１の上面には、その手前側にキーボード３３が、後部右側にディスプレイ
３４がそれぞれ配設されており、テープカートリッジＣの脱着時以外は、蓋が閉じられた
状態で使用される。
【００１５】
キーボード３３は、下側ケース２２内に内蔵された制御系であるマイコンチップ等に対
するデータ、指令等の情報を入力するためのものとなっている。このキーボード３３には
、文字、記号、数字等（以下、総称して「キャラクタ」という）を含むテキスト情報を入
力するための文字キー群３１の他、各種の動作モードなどを指定するための機能キー群３
２等が配列されている。また、機能キー群３２には、図外の〔電源〕キー、印刷動作を指
示するための〔印刷〕キー、テキスト情報入力時のデータ確定や改行及び選択画面におけ
る各種モードの選択指示のための〔選択〕キー、並びに、カーソル移動用の〔カーソル〕
キーの他、予め装置内に記憶されていない文字や記号などを「外字」として作成するため
の〔外字〕キー等が含まれる。
【００１６】
ディスプレイ３４は、任意のキャラクタやイメージを画面内に適当な配列で表示可能な
表示画面３６を有し、下側ケース２２内に内蔵された制御系であるマイコンチップ等によ
る処理結果や指令等を表示できるようになっている。すなわち、ディスプレイ３４は、処
理対象となるキャラクタ列を選択したり、ユーザがキーボード３３からデータや各種指令
・指示等を入力してキャラクタ列を編集したり、その結果等を視認したりする際などに用
いられる。
【００１７】
下側ケース２２には、テープカートリッジＣを装着するためのポケット４１が設けられ
ており、テープカートリッジＣは、上側ケース（開閉蓋）２１を開放した状態でポケット
４１に対して着脱される。テープカートリッジＣには、カートリッジケース５１の内部に
一定の幅のテープＴとインクリボンＲとが収容されている他、ポケット４１に配設された
ヘッドユニット４２を差し込むための貫通孔５３が形成されている。
【００１８】
また、テープＴは、印刷対象であるテープ状部材に相当するものであり、基材の裏面に
接着面が形成され、それが剥離紙によって覆われた構造を有する。テープＴとインクリボ
ンＲは、貫通孔５３の位置で相互に重なり合った状態で走行するとともに、テープＴのみ
が外部に排出され、インクリボンＲは内部で巻き取られるようになっている。
【００１９】
ポケット４１の適所に設けたヘッドユニット４２には、サーマルヘッドから成る印刷ヘ
ッド４２ａが内蔵されており、テープカートリッジＣがポケット４１に装填された状態で
、印刷ヘッド４２ａが、テープカートリッジＣの貫通孔５３から露出しているインクリボ
ンＲの裏面に当接するようになっている。そして、印刷ヘッド４２ａを発熱駆動すること
により、所望の文字などがテープＴの表面に印刷される。以上において、ヘッドユニット
４２と駆動軸４７，４８とは、テープＴに印刷を施すための印刷部として機能する。
【００２０】
また、下側ケース２２の左側部には、ポケット４１と装置外部とを連通するテープ排出
口４４が形成され、このテープ排出口４４には、送り出したテープＴを切断するテープカ
ッタ４５が臨んでいる。また、ポケット４１には、装着されたテープカートリッジＣの被
駆動部が係合する駆動軸４７，４８等が設けられており、内蔵された送りモータ（不図示
）を駆動源として、これらの駆動軸４７，４８により、テープカートリッジＣ内のテープ
ＴおよびインクリボンＲの送りが行われ、かつ、これらに同期して印刷ヘッド４２ａを駆
動することで、印刷が行われる。また、印刷完了後、テープＴの送りが続行されテープＴ
に設定された切断位置がテープカッタ４５の位置まで送られる。以上において、テープカ
ッタ４５と駆動軸４７，４８とは、テープＴを切断するための切断部として機能する。
【００２１】
下側ケース２２の前側部には、転動体である４つのキャスタボール（不図示）を、下側
ケース２２の底部に突起させたり下側ケース２２の底部に収納したりするため、ユーザに
操作可能とした操作部であるスライドボタン４９が設けられている。スライドボタン４９
を操作して右側位置（図示の状態）に移動させることによって、下側ケース２２の底部に
後述するキャスタボールを一括して突起させることができ、スライドボタン４９を操作し
て左側位置（不図示の状態）に移動させることによって、下側ケース２２中にキャスタボ
ールを一括して収納することができる。
【００２２】
図３は、図１等に示す下側ケース２２の底部を示す斜視図である。図からも明らかなよ
うに、下側ケース２２の下面２２ａには、４隅に近い部分に滑り止め部として４つの滑り
止めシート２５が貼り付けられている。各滑り止めシート２５は、例えばゴム系の材料で
形成され表面の摩擦係数が大きくなっているので、通常、テープ印刷装置１０が多少傾い
た台上に載置されていても、テープ印刷装置１０が台上でスライド移動して台上から落下
することを防止できる。なお、滑り止めシート２５の形状、配置、個数等は、テープ印刷
装置１０の重量等に応じて適宜変更することができる。
【００２３】
下側ケース２２の下面２２ａには、滑り止めシート２５に隣接して、４つの孔２６が形
成されている。各孔２６には、球形のキャスタボール２８が埋め込むように配置されてお
り、各キャスタボール２８は、孔２６から部分的に突起している。キャスタボール２８は
、後に詳述するが、下面２２ａに対して任意の方向に滑らかに回転可能になっており、下
側ケース２２すなわち全体としてのテープ印刷装置１０（図１参照）は、不図示の台上に
載置された場合、この台上でＡＢ方向に関してもＣＤ方向に関してもすなわち周囲に自在
に移動可能となっている。
【００２４】
図４は、キャスタボール２８を進退動作させるための進退機構の一例を示す部分拡大断
面図であり、下側ケース２２に設けたスライドボタン４９の役割を説明している。ここで
、図４（ａ）は、キャスタボール２８の突起状態を示し、図４（ｂ）は、キャスタボール
２８の収納状態を示す。
【００２５】
進退機構６０は、ユーザが操作するスライドボタン４９と、スライドボタン４９に連結
されて摺動する摺動部材６２と、摺動部材６２の移動を部分的に制限するラッチ装置６６
と、キャスタボール２８を支持するキャスタ装置６９を下方に付勢するバネ付勢装置６８
とを備える。なお、進退機構６０は、ユーザの操作に応じてキャスタ装置６９による下側
ケース２２の移動（すなわちテープ印刷装置１０の移動）を停止させるロック手段として
の役割を有する。
【００２６】
進退機構６０において、摺動部材６２は、バネ付勢装置６８とともに切替部を構成し、
キャスタ装置６９の進退状態を変化させる。この摺動部材６２は、不図示のガイドに案内
されて、スライドボタン４９とともに下側ケース２２の底面に沿って滑らかにＡＢ方向に
移動する。摺動部材６２のＡＢ方向の両端には、摺動部材６２とともにＡＢ方向に移動す
る遮蔽部６２ａが設けられている。この遮蔽部６２ａは、紙面左端に移動した図４（ａ）
の突起状態において、キャスタ装置６９の先端側への移動を許容する。すなわち、遮蔽部
６２ａの移動によって下面２２ａの孔２６からキャスタボール２８が突起する。また、遮
蔽部６２ａは、紙面右端に移動した図４（ｂ）の収納状態において、キャスタ装置６９を
根元側に移動させる。すなわち、遮蔽部６２ａの移動によって下面２２ａの孔２６の後方
にキャスタボール２８が退避する。
【００２７】
ラッチ装置６６は、例えばカムやラチェットを備えて構成される機械的機構等を内蔵す
る係止部であり、スライドボタン４９や摺動部材６２が紙面右側に移動することを阻止す
るが、スライドボタン４９の操作によって摺動部材６２を一旦紙面左側に微動させた場合
、その係止を解除して摺動部材６２が紙面右側に移動することを許容する。これにより、
図４（ｂ）の収納状態が不用意に解除されて図４（ａ）の突起状態となることを防止でき
、テープ印刷装置１０が例えば傾斜した台上で急にスライド移動を開始し、テープ印刷装
置１０が台上から落下することを防止することができる。なお、図４（ａ）の突起状態に
おいて、キャスタ装置６９の先端部によって遮蔽部６２ａは紙面左側への移動が制限され
ているので、ラッチ装置６６自体には、摺動部材６２が紙面左側に移動することを阻止す
る機能を持たせていない。ただし、ラッチ装置６６に摺動部材６２が紙面左側に移動する
ことを阻止する機能を持たせることもできる。
【００２８】
バネ付勢装置６８は、キャスタ装置６９を収納する筒状の収納部６８ａと、収納部６８
ａの上部に固定されてキャスタ装置６９を下方に付勢するバネ６８ｂとを備える。つまり
、キャスタ装置６９は、収納部６８ａに収納されてＥＦ方向に伸縮可能になっているが、
、バネ６８ｂによって収納部６８ａの下端から突出する力を受ける。ただし、図４（ａ）
に示す進退機構６０のＯＮ状態では、下側ケース２２の下面２２ａに形成された孔２６に
よって移動が阻止され、図４（ｂ）に示す進退機構６０のＯＦＦ状態では、下面２２ａの
内側において適所に配置された摺動部材６２に設けた遮蔽部６２ａによって移動が阻止さ
れた状態となる。
【００２９】
なお、キャスタ装置６９は、周知の機構を内蔵する軸受けであり、キャスタボール２８
を保持して任意の方向に滑らかに回転させることができる。
【００３０】
このように構成されたテープ印刷装置１０の一般的な使用方法は、ユーザが、ポケット
４１にテープカートリッジＣを装填した後、ディスプレイ３４により入力・編集結果を確
認しながらキーボード３３を用いて所望の文字や記号等の印刷情報を入力し、印刷を指示
する。この指示により、テープカートリッジＣからテープＴが繰り出され、印刷ヘッド４
２ａによりテープＴに所望の印刷が行われた後、印刷済み部分はテープ排出口４４から随
時外部に送り出される。そして、印刷が完了すると、余白分を含むテープ長さの位置まで
テープ送りが行われ、所定の位置でテープＴがカットされることによりラベルが作成され
る。
【００３１】
また、ユーザが、テープ印刷装置１０の使用を終え、テープ印刷装置１０をテーブル上
で移動させたい場合、ユーザは、下側ケース２２前面のスライドボタン４９を例えば左側
から右側に移動させてＯＦＦ状態からＯＮ状態に切り替える。これにより、図４（ｂ）に
示す収納状態から図４（ａ）に示す突起状態にキャスタ装置６９が変位し、下側ケース２
２の下面２２ａからキャスタボール２８が突起する。この結果、台上から下側ケース２２
の下面２２ａが持ち上げられ、下面２２ａに接着された滑り止めシート２５の摩擦による
スライド防止効果がなくなり、テープ印刷装置１０が台上で任意の方向に移動可能となる
。ユーザは、テープ印刷装置１０台上で希望する位置に移動を完了すると、スライドボタ
ン４９を例えば右側から左側に移動させてＯＮ状態からＯＦＦ状態に切り替える。これに
より、キャスタ装置６９が突起状態から収納状態に変位し、下側ケース２２内にキャスタ
ボール２８が収納される。この結果、下側ケース２２の下面２２ａが下がり、滑り止めシ
ート２５の摩擦によってテープ印刷装置１０が台上で移動しなくなる。
【００３２】
〔第２実施形態〕
第２実施形態のテープ印刷装置は、第１実施形態のテープ印刷装置を変形したものであ
る。以下では、第１実施形態の装置と異なる点を説明し、特に説明しない部分については
は、第１実施形態の装置と同様であるものとする。
【００３３】
図５は、 第２実施形態のテープ印刷装置に組み込まれる進退機構１６０を説明する拡
大断面図である。進退機構１６０は、ユーザが操作する押しボタン１４９と、押しボタン
１４９によって動作するラッチ装置１６６と、ラッチ装置１６６に支持されてキャスタ装
置６９を下方に付勢するバネ６８ｂとを備える。
【００３４】
ここで、押しボタン１４９は、下側ケース２２の上面２２ｂ（図１参照）の縁部分に形
成された段差状の凹所２２ｃに設けられており、ユーザが下側ケース２２の側面から指を
差し込んで下方に押すように操作できる。
【００３５】
ラッチ装置１６６は、オルタネート型の押しボタンスイッチと同様の機械機構を内蔵し
ている。すなわち、上記のようにユーザが押しボタン１４９を押すと、ラッチ装置１６６
の変位部材１６６ａがＯＮとなって下方に移動し、バネ６８ｂを下方に押し下げる。結果
的に、キャスタ装置６９が先端側に移動して下側ケース２２の下面２２ａの孔２６からキ
ャスタボール２８が突起する。この際、ユーザが押しボタン１４９を放しても、ラッチ装
置１６６に組み込まれたラチェットやカムによって押しボタン１４９の復帰が阻止され（
実線の状態）、キャスタボール２８が下面２２ａの孔２６から突起したままとなる。そし
て、ユーザが押しボタン１４９を再度押すと、押しボタン１４９が復帰する（一転鎖線の
状態）。つまり、ラッチ装置１６６がＯＦＦ状態となり、変位部材１６６ａが上方に移動
してバネ６８ｂを上方に引っ張る。結果的に、キャスタ装置６９が根元側に移動して下側
ケース２２の下面２２ａの孔２６内にキャスタボール２８が収納される。
【００３６】
この場合、下側ケース２２に突起させるキャスタ装置６９ごとに進退機構１６０を設け
ているが、複数のキャスタ装置６９に対して１つの進退機構１６０を設けることもできる
。
【００３７】
〔第３実施形態〕
第３実施形態のテープ印刷装置は、第２実施形態のテープ印刷装置を変形したものであ
る。以下では、第２実施形態の装置と異なる点を説明し、特に説明しない部分については
は、第２実施形態の装置と同様であるものとする。
【００３８】
図６は、第３実施形態のテープ印刷装置２１０の制御系の構成について説明するブロッ
ク図である。テープ印刷装置２１０は、ユーザとのインタフェースになるキーボード３３
やディスプレイ３４のほかに、印刷ヘッド４２ａや送りモータ５５を駆動する印刷部駆動
回路７１と、テープカッタ４５に切断動作を行わせるカッタモータ５６を駆動する切断部
駆動回路７２と、データや演算結果等を保管するための記憶部７３と、キャスタ装置６９
を進退させる進退機構２６０を駆動する進退機構駆動回路７４と、以上の回路部分を制御
しつつ適宜動作させる制御処理部７７とを備える。
【００３９】
なお、進退機構２６０は、図５の進退機構１６０を電動化したものであり、キャスタ装
置６９を下側ケース２２に形成された孔から外部に対して突起させたり内部に退避させた
りするための進退モータ５７を有している。
【００４０】
また、制御処理部７７は、マイコンチップ等で構成される制御手段であり、記憶部７３
は、ＲＯＭやＲＡＭを備えるＩＣで構成される。そして、制御処理部７７は、上記の構成
により、記憶部７３に設けたＲＯＭ内の制御プログラムに従って動作し、キーボード３３
等から各種検出信号、各種指令、各種データ等の入力を受け、記憶部７３に設けたＲＡＭ
からの各種データ等を処理し、ディスプレイ３４、印刷部駆動回路７１、切断部駆動回路
７２、進退機構駆動回路７４等に制御信号を出力することにより、表示画面３６に必要な
表示を行わせるとともに、印刷ヘッド４２ａを制御して所定の印刷条件でテープＴに印刷
するなど、テープ印刷装置１０全体を制御している。さらに、制御処理部７７は、テープ
印刷装置２１０のキーボード３３が操作され、テープ印刷装置２１０の移動許可が要求さ
れた場合、進退機構駆動回路７４を適宜動作させてキャスタ装置６９の下端を下側ケース
２２外に突起させ、テープ印刷装置２１０が台上でキャスタ装置６９によって滑らかに移
動できるようにする。また、制御処理部７７は、テープ印刷装置２１０のキーボード３３
が操作され、テープ印刷装置２１０の移動禁止が要求された場合、進退機構駆動回路７４
を適宜動作させてキャスタ装置６９の下端を下側ケース２２内に収納させ、テープ印刷装
置２１０が台上で安定して載置されるようにする。さらに、進退機構駆動回路７４の電源
スイッチがオフされた場合、制御処理部７７は、進退機構駆動回路７４を強制的に動作さ
せて、キャスタ装置６９を下側ケース２２内に収納する。
【００４１】
なお、この発明は、上記の実施形態に限られるものではなく、その要旨を逸脱しない範
囲において種々の態様において実施することが可能であり、例えば次のような変形も可能
である。
【００４２】
すなわち、上記実施形態で説明したキャスタ装置６９や進退機構６０，１６０，２６０
の構造や動作内容は、単なる一例であり同様の目的を達成する各種機構に置き換え得るこ
とは言うまでもない。
【図面の簡単な説明】
【００４３】
【図１】第１実施形態に係るテープ印刷装置の外観斜視図である。
【図２】（ａ）は、図１のテープ印刷装置の開蓋状態を示す外観斜視図であり、（ｂ）は、テープ印刷装置に装填されるテープカートリッジを示す外観斜視図である。
【図３】図１のテープ印刷装置の裏面すなわち底面を説明する部分平面図である。
【図４】（ａ）、（ｂ）は、キャスタボール用の進退機構を示す部分拡大断面図である。
【図５】第２実施形態に係るテープ印刷装置の要部を説明する部分拡大断面図である。
【図６】第３実施形態に係るテープ印刷装置の制御系のブロック図である。
【符号の説明】
【００４４】
１０…テープ印刷装置、  ２０…装置ケース、  ２１…上側ケース、  ２２…下側ケー
ス、  ２２ａ…下面、  ２５…滑り止めシート、  ２６…孔、  ２８…キャスタボール、
３３…キーボード、  ３４…ディスプレイ、  ４１…ポケット、  ４２…ヘッドユニッ
ト、  ４４…テープ排出口、  ４５…テープカッタ、  ４９…スライドボタン、  ５１…
カートリッジケース、  ６０…進退機構、  ６２…摺動部材、  ６２ａ…遮蔽部、  ６６
…ラッチ装置、  ６８…バネ付勢装置、  ６９…キャスタ装置、  Ｃ…テープカートリッ
ジ、  Ｔ…テープ
【図１】
2007223262.tif 000003
【図２】
2007223262.tif 000004
【図３】
2007223262.tif 000005
【図４】
2007223262.tif 000006
【図５】
2007223262.tif 000007
【図６】
2007223262.tif 000008